(57)【特許請求の範囲】
【請求項１】
筐体内に、無線信号の送信、受信又は送受信を行う無線回路部を内蔵してなる携帯型無線機において、
アンテナを収納自在にするため、前記筐体に設けられた収納凹部と、
前記無線回路部の近傍であって、且つ前記収納凹部内において前記筐体に形成された放熱孔と、
を備えたことを特徴とする携帯型無線機。
【請求項２】
テレビ受信部が前記筐体内に内蔵され、
前記放熱孔によって前記筐体内に対流が生じ、その対流によって前記テレビ受信部が冷却されることを特徴とする請求項1に記載の携帯型無線機。
【請求項３】
前記筐体が２つのケースを組み合わせてなり、前記２つのケースのうちの一方のケースの表側に凹部が形成され、締結部材が前記凹部内において前記一方のケースを通って他方のケースに締結し、前記凹部内に他の放熱孔を設けたことを特徴とする請求項１に記載の携帯型無線機。
【請求項４】
前記筐体の前面に、他の放熱孔を設けたことを特徴とする請求項１に記載の携帯型無線機。
【請求項５】
前記筐体の複数個所に、他の放熱孔を設けたことを特徴とする請求項１に記載の携帯型無線機。
【発明の詳細な説明】
【技術分野】
【０００１】
本発明は、携帯電話機といった携帯型無線機に関する。
【背景技術】
【０００２】
近年、携帯電話機の多機能化が著しく進み、無線通話機能のほかにも、デジタルカメラ機能、無線データ通信機能、テレビ機能等を備えた携帯電話機が開発されている。携帯電話機には、無線信号の送受信を行うための無線回路部が内蔵され、無線回路部にはパワーアンプが設けられていることから、無線回路部での発熱量が多い。加えて、携帯電話機の多機能化に伴って内部のＣＰＵの処理速度が高速化されるので、ＣＰＵでの発熱量が増し、テレビ機能付携帯電話機ではテレビ信号処理回路部によって発熱量が更に増える。携帯電話機の筐体によって無線回路部やＣＰＵ等の電気部品が密閉されているため、電気部品から発生した熱が筐体内部に籠もり、電機部品の機能低下を招く可能性がある。そのため、携帯電話機の内部で発した熱を放熱するため、筐体に放熱孔が形成された携帯電話機が提案されている（例えば、特許文献１参照。）。
【特許文献１】特開２００３−２４４０１１号公報
【発明の開示】
【発明が解決しようとする課題】
【０００３】
しかしながら、放熱孔を単に筐体に形成しただけでは、筐体内部の熱を効率よく外部に放熱することができない。
そこで、本発明は上記課題を解決しようとしてなされたものであり、筐体内部の熱を効率よく外部に放熱することができる携帯型無線機を提供することを目的とする。
【課題を解決するための手段】
【０００４】
以上の課題を解決するため、請求項１に記載の携帯型無線機は、筐体内に、無線信号の送信、受信又は送受信を行う無線回路部を内蔵してなる携帯型無線機において、アンテナを収納自在にするため、前記筐体に設けられた収納凹部と、前記無線回路部の近傍であって、且つ前記収納凹部内において前記筐体に形成された放熱孔と、を備えたことを特徴とする。
請求項２に記載の携帯型無線機は、請求項１において、テレビ受信部が前記筐体内に内蔵され、前記放熱孔によって前記筐体内に対流が生じ、その対流によって前記テレビ受信部が冷却されることを特徴とする。
請求項３に記載の携帯型無線機は、請求項１において、記筐体は２つのケースを組み合わせてなり、前記２つのケースのうちの一方のケースの表側に凹部が形成され、締結部材が前記凹部内において前記一方のケースを通って他方のケースに締結し、その凹部に他の放熱孔を設けたことを特徴とする。
請求項４に記載の携帯型無線機は、請求項１において、前記筐体の前面に、他の放熱孔を設けたことを特徴とする。
請求項５に記載の携帯型無線機は、請求項１において、前記筐体の複数個所に、他の放熱孔を設けたことを特徴とする。
【発明の効果】
【０００５】
本発明によれば、無線回路部が放熱孔の近傍において筐体内に内蔵されているので、無線回路部から発した熱が放熱孔を通じて外部に効率よく放熱される。そのため、筐体内部に熱が籠もるのを防止することができ、無線回路部に加えて他の電気回路の機能低下を防止することができる。
【発明を実施するための最良の形態】
【０００６】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【０００７】
図１は、本発明の携帯型無線機を適用した携帯電話機１を展開した状態の正面図である。図２は、携帯電話機１を展開した状態の背面図である。図３は、表示画面２１を内側にして携帯電話機１を折り畳んだ状態の斜視図である。図４は、表示画面２１を外側にして携帯電話機１を折り畳んだ状態の斜視図である。図５は、携帯電話機１を折り畳んだ状態の側面図である。
【０００８】
この携帯電話機１においては、第１の筐体２が二軸ヒンジ５によって第２の筐体３に連結されている。二軸ヒンジ５は、第２の筐体３の前面と背面との間において第２の筐体３の幅方向に延びた軸線Ｘを有する軸部５１と、第１の筐体２の前面と背面との間において第１の筐体２の長手方向に延びた軸線Ｙを有する軸部５２とを有する。軸線Ｘと軸線Ｙはねじれの位置の関係にあり、軸線Ｘと軸線Ｙの両方に直交する直線が存し、その直線の延び方向に平面視した場合には軸線Ｘと軸線Ｙが直交する。具体的には、軸線Ｘは、第２の筐体３の厚み方向略中央部に位置するとともに第２の筐体３の長手方向一端部に位置する。軸線Ｙは、第１の筐体２の厚み方向略中央部に位置するとともに第１の筐体２の幅方向略中央部に位置している。第１の筐体２は軸部５２によって軸線Ｙを中心にして回動可能に設けられ、第２の筐体３は軸部５１によって軸線Ｘを中心にして回動可能に設けられている。第２の筐体３に対する第１の筐体２の開閉は、軸線Ｘを中心に第１の筐体２を回動させて行い、第１の筐体２の表裏反転は、軸線Ｙを中心に第１の筐体２を回動させて行う。
【０００９】
第１の筐体２の前面には表示画面２１が設けられ、表示画面２１の上には通話孔２２が形成され、第１の筐体２の内部であって通話孔２２に相対する部分にはスピーカが設けられている。第２の筐体３の前面にはテンキー等といった操作部３１が設けられている。第２の筐体３の前面であって二軸ヒンジ５寄りには、通話孔４１が形成され、第２の筐体３の内部であって通話孔４１に相対する部分にはマイク４７（図６、図７に図示）が設けられている。第２の筐体３の前面であって二軸ヒンジ５とは反対側には、放熱孔４２が形成されている。この放熱孔４２は、メッシュ状のシートによって覆われている。また、第２の筐体３の背面にはデジタルカメラユニットの対物窓３２が設けられている。なお、放熱孔４２が形成される位置は、従来からある折り畳み型携帯電話機では、通話マイク用の通話孔が形成される位置である。
【００１０】
第２の筐体３の側面には、テレビアンテナ４３の基端部が取り付けられている。テレビアンテナ４３は、その基端部を中心にして第２の筐体３の厚み方向に延びた軸回りに回動可能に設けられている。第２の筐体３の側面には、収納凹部４４が窪んだ状態に設けられ、テレビアンテナ４３を第２の筐体３の側面に対して倒伏状態に回動すると、テレビアンテナ４３が収納凹部４４に収納される。収納凹部４４の底であってテレビアンテナ４３の先端部が収納される箇所には、放熱孔４５が形成されている。そのため、テレビアンテナ４３を倒伏した状態では、放熱孔４５がテレビアンテナ４３によって覆われている。
【００１１】
図６は、第２の筐体３の分解斜視図である。図６に示すように、第２の筐体３の前面側が表ケース３３で構成され、第２の筐体３の背面側が裏ケース３４で構成され、表ケース３３と裏ケース３４が張り合わせられることにより、第２の筐体３の内部に収容空間が形成されている。表ケース３３は枠状に設けられ、表ケース３３の開口部分がキーシート４６によって塞がれ、このキーシート４６が操作部３１となる。なお、通話孔４１と放熱孔４２は、キーシート４６に形成されている。
【００１２】
図７は、第２の筐体３を分解した状態の携帯電話機１の斜視図である。図７に示すように、第２の筐体３には中ケース３５が収容され、この中ケース３５に軸部５２の取付部５３，５４が連結されている。この中ケース３５は、マグネシウム合金からなるものであり、高い熱伝導性を有する。
【００１３】
この中ケース３５に回路基板３６が搭載され、中ケース３５とともに回路基板３６が第２の筐体３内に収容され、中ケース３５は表ケース３３側になり、回路基板３６が裏ケース３４側になる。
【００１４】
回路基板３６の裏ケース３４に対向する面には、デジタルカメラユニット３７が搭載され、そのデジタルカメラユニット３７が対物窓３２に相対している。図８には、回路基板３６が図７に対して裏返された状態で示されている。図８に示すように、回路基板３６の中ケース３５に対向する面には、テレビ受信用ＩＣチップ３８が搭載されている。このテレビ受信用ＩＣチップ３８は、電波によるテレビ放送信号をテレビアンテナ４３を介して受信し、そのテレビ放送信号を処理する機能を有する。このテレビ受信用ＩＣチップ３８は、パワーアンプを有しているので、より発熱しやすい。なお、表示画面２１では、テレビ受信ＩＣチップ３８によって信号処理されたテレビ放送信号に従ってテレビ放送の映像が表示される。
【００１５】
また、回路基板３６の中ケース３５に対向する面には、無線回路部３９が設けられている。この無線回路部３９は、電波による通話信号を送受信して通話信号を処理したり、電波によるデータ通信信号を送受信してデータ通信信号を処理したりする機能を有する。この無線回路部３９も、パワーアンプを有しているので、より発熱しやすい。
【００１６】
回路基板３６の中ケース３５に対向する面には、テレビ受信用ＩＣチップ３８や無線回路部３９のほか、他のＩＣチップ７１〜７５も搭載されている。
【００１７】
中ケース３５の回路基板３６に対向する面には、テレビ受信用ＩＣチップ３８を収納するための収納凹部４８が形成されているとともに、無線回路部３９を受信するための収納凹部４９も形成されている。図８の状態から回路基板３６が裏返されて中ケース３５に搭載されると、テレビ受信用ＩＣチップ３８が収納凹部４８に収納され、無線回路部３９が収納凹部４９に収納される。収納凹部４８，４９の底には、シート型ヒートシンクが張り付けられており、テレビ受信用ＩＣチップ３８や無線回路部３９がシート型ヒートシンクにより冷却される。
【００１８】
図７に示すように、回路基板３６が中ケース３５に搭載された状態で、回路基板３６及び中ケース３５が表ケース３３と裏ケース３４で挟まれるようにして、表ケース３３と裏ケース３４が張り合わせられ、これにより回路基板３６と中ケース３５が表ケース３３と裏ケース３４の内側に収容される。そして、４つのネジ６９が裏ケース３４、中ケース３５を通って表ケース３３に螺合することによって、表ケース３３、中ケース３５及び裏ケース３４が固定される。裏ケース３４には、ネジ６９の頭部を収容するための凹部６８が形成されている。図７、図９に示すように、４つの凹部６８のうち、二軸ヒンジ５の反対側に形成された２つの凹部６８の側壁部分には放熱孔６７が形成されている。この放熱孔６７はネジ６９の頭部によって塞がれていない。なお、図９では、裏ケース３４が図６に対して上下逆にして示されている。
【００１９】
回路基板３６と中ケース３５が表ケース３３と裏ケース３４の内側に収容された状態では、無線回路部３９が、キーシート４６に形成された放熱孔４２の近傍に配置されている。具体的には、無線回路部３９は、中ケース３５を挟んで放熱孔４２に対向している。また、無線回路部３９は、収納凹部４４に形成された放熱孔４５の近傍に配置されているとともに、凹部６８に形成された放熱孔６７の近傍に配置されている。
【００２０】
以上のように、本実施形態によれば、無線回路部３９が放熱孔４２，４５，６７の近傍において第２の筐体３内に内蔵されているので、無線回路部３９から発した熱が放熱孔４２，４５，６７を通じて外部に効率よく放熱される。また、無線回路部３９の周囲に放熱孔４２，４５，６７が複数有り、これらは別々の面に形成されているから、外部の空気が放熱孔４２，４５，６７のうち何れかから第２の筐体３内に送り込まれ、第２の筐体３内の空気が他から外部に排出され、第２の筐体３内で空気の対流が起こりやすい。そのため、無線回路部３９のみならず、テレビ受信用ＩＣチップ３８やＩＣチップ７１〜７５等も冷却されやすい。特に、中ケース３５が熱伝導性の高いマグネシウム合金からなるので、無線回路部３９、テレビ受信用ＩＣチップ３８及びＩＣチップ７１〜７５から発した熱が中ケース３５に伝導し、中ケース３５が対流によって冷却される。このように中ケース３５がヒートシンクとして機能し、無線回路部３９、テレビ受信用ＩＣチップ３８及びＩＣチップ７１〜７５を効率よく冷却することができる。このように、第２の筐体３内部に熱が籠もるのを防止することができ、無線回路部３９、テレビ受信用ＩＣチップ３８及びＩＣチップ７１〜７５の機能低下を防止することができる。
【００２１】
また、テレビアンテナ４３を倒伏した場合には、放熱孔４５がテレビアンテナ４３によって隠れるので、放熱孔４５が目に入りにくい。放熱孔６７は凹部６８の側壁面に形成されているから、この放熱孔６７も目に入りにくい。そのため、携帯電話機１のデザイン性が損なわれない。また、放熱孔４２は、一般的な折り畳み携帯電話機の通話孔となる部分に形成されているから、第２の筐体３の前面に放熱孔４２が形成されることが気にならないので、携帯電話機１のデザイン性を損なわずに済む。
【００２２】
なお、本発明は、上記実施形態又は変形例に限定されることなく、本発明の趣旨を逸脱しない範囲において、種々の改良並びに設計の変更を行っても良い。
例えば、第２の筐体３には、別の放熱孔が形成され、テレビ受信用ＩＣチップ３８がその放熱孔の近傍に配置されていても良い。
また、上記無線回路部３９は、電波による通話信号やデータ通信信号を送受信する機能を有するが、通話信号やデータ通信信号を送信する機能は持たずに受信する機能を有するものでも良いし、逆に受信する機能を持たずに送信する機能を有するものでも良い。
【図面の簡単な説明】
【００２３】
【図１】本発明の携帯型電子機器を適用した携帯電話機を展開した状態の正面図である。
【図２】携帯電話機を展開した状態の背面図である。
【図３】折り畳んだ状態の携帯電話機の斜視図である。
【図４】折り畳んだ状態の携帯電話機の斜視図である。
【図５】（ａ）図はテレビアンテナを起立させて携帯電話機を折り畳んだ状態の側面図であり、（ｂ）図はテレビアンテナを倒伏させて携帯電話機を折り畳んだ状態の側面図である。
【図６】第２の筐体の分解斜視図である。
【図７】第２の筐体を分解した状態における携帯電話機の斜視図である。
【図８】中ケース及び回路基板の斜視図である。
【図９】裏ケースの斜視図である。
【符号の説明】
【００２４】
１  携帯電話機
３  第２の筐体
３８  テレビ受信用ＩＣチップ
３９  無線回路部
４２、４５、６７  放熱孔
４３  テレビアンテナ
４４  収納凹部
６８  凹部
６９  ネジ
【図１】
0004513753.tif 000002
【図２】
0004513753.tif 000003
【図３】
0004513753.tif 000004
【図４】
0004513753.tif 000005
【図５】
0004513753.tif 000006
【図６】
0004513753.tif 000007
【図７】
0004513753.tif 000008
【図８】
0004513753.tif 000009
【図９】
0004513753.tif 000010